(57)【特許請求の範囲】
【請求項１】
文字多重放送を受信して音声情報と文字情報を復調し、音声情報をディスク媒体に記録し、文字情報を前記ディスク媒体における音声情報の記録位置と関連付けてメモリに記録し、前記ディスク媒体から音声情報を再生する際、前記ディスク媒体における音声情報の記録位置と関連付けられた文字情報を前記メモリから読み出して表示するとともに、文字情報の表示を、通常の放送受信時における表示の切換時間間隔よりも短時間で切り換える、
ことを特徴とする文字多重放送の受信録音再生方法。
【請求項２】
前記ディスク媒体は、ＭＤ（Mini Disc）である、
ことを特徴とする請求項１に記載の文字多重放送の受信録音再生方法。
【請求項３】
音声情報と文字情報とが多重化されて送信される文字多重放送を受信して音声情報と文字情報とを復調し、音声情報を出力すると共に文字情報を表示する多重放送受信部と、
前記多重放送受信部により復調された音声情報をディスク媒体に記録し、前記ディスク媒体に記録された音声情報を再生する録音再生部とを備え、
前記多重放送受信部は、
文字情報を表示する表示手段と、
文字情報を格納する不揮発性のメモリ手段と、
出力中の音声情報に応じた文字情報を前記表示手段に表示させる受信表示制御手段とを備え、
前記録音再生部は、
前記ディスク媒体に音声情報を記録する際に、記録中の音声情報を識別するための識別情報を前記受信表示制御手段に送り、前記ディスク媒体より音声情報を再生する際に、再生中の音声情報を識別するための識別情報を前記受信表示制御手段に送る録再制御手段を備え、
前記受信表示制御手段は、前記ディスク媒体に記録中の音声情報を識別するための識別情報を前記録音再生部から受け取って文字情報と関連付けて前記メモリ手段に格納し、前記ディスク媒体より再生中の音声情報を識別するための識別情報を前記録音再生部から受け取って当該識別情報に関連付けられた文字情報を前記メモリ手段から読み出して前記表示手段に表示させるとともに、前記ディスク媒体より音声情報を再生する際における文字情報の前記表示手段による表示を、通常の放送受信時における表示の切換時間間隔よりも短時間で切り換える、
ことを特徴とする文字多重放送の受信録音再生システム。
【請求項４】
前記録再制御手段が前記受信表示手段に送る識別情報は、前記ディスク媒体において音声情報のデータ単位毎に割り当てられるトラック番号である、
ことを特徴とする請求項３に記載の文字多重放送の受信録音再生システム。
【請求項５】
前記受信表示制御手段は、
前記メモリ手段に文字情報と共に音声情報の受信日時を示す特定情報を格納し、録音中の音声情報の特定情報を前記録再制御手段に送り、再生中の音声情報の特定情報を前記録再制御手段から受け取って前記メモリ手段から対応する文字情報を検索する手段を備え、
前記録音再生部は、
特定情報を記録する不揮発性の特定情報メモリ手段を備え、
前記録再制御手段は、前記ディスク媒体に音声情報を記録する際に、前記受信表示制御手段から受け取った特定情報を記録中の音声情報に割り当てられたトラック番号と共に前記特定情報メモリ手段に格納し、前記ディスク媒体より音声情報を再生する際に、再生中の音声情報のトラック番号と当該トラック番号に関連付けて前記特定情報メモリ手段に格納された特定情報を前記受信表示制御手段に送る、
ことを特徴とする請求項４に記載の文字多重放送の受信録音再生システム。
【請求項６】
前記多重放送受信部は、ＦＭ（Frequency Modulation）文字多重放送を受信し、
且つ、前記ディスク媒体は、ＭＤ（Mini Disc）である、
ことを特徴とする請求項３、４又は５に記載の文字多重放送の受信録音再生システム。
【発明の詳細な説明】
【０００１】
【発明の属する技術分野】
この発明は、ＦＭ（ｆｒｅｑｕｅｎｃｙ  ｍｏｄｕｌａｔｉｏｎ）文字多重放送のような文字多重放送において楽曲情報が放送されている場合に楽曲情報を受信して録音するための文字多重放送の受信録音再生システムに係り、特に、音声放送による楽曲情報と共に、曲名等のその楽曲に関する情報が文字放送により同時に放送されている場合に用いる文字多重放送の受信録音再生方法及びシステムに関する。
【０００２】
【従来の技術】
通常のＦＭ放送の音声情報に多重化して文字や図形情報を送信するＦＭ文字多重放送が実用化されている。
このようなＦＭ文字多重放送は、符号化した文字／図形情報により例えば周波数７６ｋＨｚのサブキャリア（副搬送波）を変調して、ＦＭ放送の音声情報を伝送するベースバンドに周波数多重化して送信する。このＦＭ文字多重放送を用いて、親番組連動情報、交通情報、天気予報情報およびエンターテインメント情報等の種々の情報を送信するサービスが行われている。ここで、親番組連動情報とは、親番組となるメインチャンネルで放送している楽曲の曲名や歌手／演奏者等のアーティスト名、出演者からのメッセージ、リクエストや応募の宛先や電話番号等である。
【０００３】
このようなＦＭ文字多重放送に対応する受信機では、ＦＭ文字多重放送により、メインチャンネルの音声情報に多重化されてサブチャンネルで送信された文字情報等を、ＬＣＤ（Ｌｉｑｕｉｄ  Ｃｒｙｓｔａｌ  Ｄｉｓｐｌａｙ）等のディスプレイに表示させる。ユーザは、このディスプレイの表示から種々の情報を得ることができる。
【０００４】
一般に、ＦＭ放送では、ＡＭ（振幅変調）放送等に比して、不快なノイズが混入しにくく比較的良好な音質を容易に得ることができることから、音楽番組が多く放送されている。このようなＦＭ放送の音楽情報を、ＭＤ（Ｍｉｎｉ  Ｄｉｓｃ）レコーダやコンパクトカセットを用いて録音することも多い。
【０００５】
例えば、図４に示すように、ＦＭ文字多重放送を受信するためのＦＭ文字多重チューナ１１０は、ＣＰＵ（Ｃｅｎｔｒａｌ  Ｐｒｏｃｅｓｓｉｎｇ  Ｕｎｉｔ）１１１の制御により、受信復調部１１２でＦＭ文字多重放送を同調受信し、復調する。このとき、上述したようにＦＭ文字多重放送では、メインチャンネルの音声情報が伝送されるベースバンドに対し、サブキャリアにより周波数多重化されたサブチャンネルにより例えば文字情報が伝送されている。受信復調部１１２は、放送電波に同調し、メインチャンネルの音声情報と、多重化されたサブチャンネルの文字情報とを分離して復調する。ＣＰＵ１１１は、受信復調部１１２によって復調され抽出されたサブチャンネルの文字情報を表示部１１３に表示する。
【０００６】
ここで、ＦＭ放送により受信した音声情報をＭＤに記録する場合、受信復調部１１２は、受信電波から分離して復調したベースバンドの音声情報をＭＤレコーダ１２０に送る。ＭＤレコーダ１２０は、ＣＰＵ１２１により制御されるディスク制御部１２２によって、受信復調部１１２から受けた音声情報をＭＤに録音する。
【０００７】
例えば、音楽を録音する場合、楽曲のスタートに合わせて図示せぬ録音ボタンを押下等することによりＣＰＵ１２１は録音動作を開始し、ディスク制御部１２２に装填したＭＤに楽曲を録音する。ＣＰＵ１２１は、操作および動作に関する情報を必要に応じて表示部１２３に表示する。
【０００８】
この点、特開平１０−５５６５６号公報には、文字多重放送からＭＤやコンパクトカセットに楽曲を録音する際に、予め曲名やアーティスト名を登録しておくことにより、放送に多重化されている文字情報から該当する曲名やアーティスト名の楽曲のみを選択的に録音する技術が開示されている。
【０００９】
このように、一般に、ＦＭ音声多重放送をＭＤ等に録音する際には、音声情報だけが録音され、そのときサブチャンネルにより同時に放送されている曲名等の楽曲情報は記録されない。このため、録音後に曲名等の楽曲情報が知りたくなっても、予めメモに書き留めておくなどしなければ、それを知るすべはない。このような場合、どうしても曲名等を知りたければ、放送局に問い合わせたりする必要があった。
【００１０】
これに対して、特開平９−３２６１８８号公報には、ＦＭ文字多重放送から楽曲を録音する際に、放送に多重化されている文字情報に基づき曲名やアーティスト名等の楽曲情報を表示し且つ音楽情報と共にＭＤ等の録音媒体に記録し、その録音媒体の再生時に記録された楽曲情報を表示する技術が開示されている。このような技術を用いれば、後になっても、再生時に楽曲情報が表示されるので、放送局に問い合わせたりせずに曲名等の楽曲情報を知ることができる。
【００１１】
【発明が解決しようとする課題】
しかしながら、上記特開平９−３２６１８８号公報に開示されている技術では、録音時に、多重化された文字情報をＭＤ等の録音媒体に音声情報と関連付けて記録しなければならず、録音処理系において特別な処理および構成が必要となる。
【００１２】
この発明は、上記実状に鑑みてなされたものであり、簡単な構成で文字多重放送により受信した音声情報を録音媒体に記録し、且つ音声情報と共に受信した文字情報を容易に確認することができる文字多重放送の受信録音再生方法及びシステムを提供することを目的とする。
【００１３】
【課題を解決するための手段】
上記目的を達成するべく、この発明の第１の観点に係る受信録音再生方法は、
文字多重放送を受信して音声情報と文字情報を復調し、音声情報をディスク媒体に記録し、文字情報を前記ディスク媒体における音声情報の記録位置と関連付けてメモリに記録し、前記ディスク媒体から音声情報を再生する際、前記ディスク媒体における音声情報の記録位置と関連付けられた文字情報を前記メモリから読み出して表示するとともに、文字情報の表示を、通常の放送受信時における表示の切換時間間隔よりも短時間、例えば１秒程度で切り換える、
ことを特徴とする。
【００１４】
この発明によれば、文字多重放送によって音声情報と共に受信した文字情報をメモリに記録する。この際、文字情報は音声情報を記録するディスク媒体の記録位置と対応付けて記録するので、ディスク媒体から音声情報を再生する際、音声情報に対応する文字情報をメモリから読み出して表示することができる。
これにより、音声情報と共に受信した文字情報を容易に確認することができ、録音処理系において複雑な構成が必要となることもない。
また、再生時に文字情報の表示を迅速に切り換えて、音声情報に関連する曲名、演奏者名等の文字情報を容易に確認することができる。
【００１５】
また、前記ディスク媒体は、ＭＤ（Mini Disc）であることが望ましい。
【００１６】
また、この発明の第２の観点に係る文字多重放送の受信録音再生システムは、
音声情報と文字情報とが多重化されて送信される文字多重放送を受信して音声情報と文字情報とを復調し、音声情報を出力すると共に文字情報を表示する多重放送受信部と、
前記多重放送受信部により復調された音声情報をディスク媒体に記録し、前記ディスク媒体に記録された音声情報を再生する録音再生部とを備え、
前記多重放送受信部は、
文字情報を表示する表示手段と、
文字情報を格納する不揮発性のメモリ手段と、
出力中の音声情報に応じた文字情報を前記表示手段に表示させる受信表示制御手段とを備え、
前記録音再生部は、
前記ディスク媒体に音声情報を記録する際に、記録中の音声情報を識別するための識別情報を前記受信表示制御手段に送り、前記ディスク媒体より音声情報を再生する際に、再生中の音声情報を識別するための識別情報を前記受信表示制御手段に送る録再制御手段を備え、
前記受信表示制御手段は、前記ディスク媒体に記録中の音声情報を識別するための識別情報を前記録音再生部から受け取って文字情報と関連付けて前記メモリ手段に格納し、前記ディスク媒体より再生中の音声情報を識別するための識別情報を前記録音再生部から受け取って当該識別情報に関連付けられた文字情報を前記メモリ手段から読み出して前記表示手段に表示させるとともに、前記ディスク媒体より音声情報を再生する際における文字情報の前記表示手段による表示を、通常の放送受信時における文字表示の切換時間間隔よりも短時間で切り換える、
ことを特徴とする。
【００１７】
この発明によれば、録音媒体であるディスク媒体に音声情報を記録する際、音声情報と共に受信した文字情報をメモリ手段に格納する。この際、受信表示制御手段は、記録中の音声情報を識別するための識別情報を録音再生部から受け取って文字情報と関連付けてメモリ手段に格納する。そして、受信表示制御手段は、ディスク媒体より音声情報を再生する際に、再生中の音声情報を識別するための識別情報を録音再生部から受け取ってその識別情報と関連付けられてメモリ手段に格納されている文字情報を読み出して表示手段に表示させる。
これにより、文字多重放送により受信した音声情報をディスク媒体に記録することができ、また、音声情報と共に受信した文字情報を容易に確認することができる。ここで、文字情報は、メモリ手段に格納するので、ディスク媒体に記録するための複雑な構成は不要である。
さらに、再生時に文字情報の表示を迅速に切り換えて、音声情報に関連する曲名、演奏者名等の文字情報を容易に確認することができる。
【００１８】
より具体的には、前記録再制御手段が前記受信表示手段に送る識別情報は、前記ディスク媒体において音声情報のデータ単位毎に割り当てられるトラック番号であることが望ましい。
【００１９】
また、前記受信表示制御手段は、前記メモリ手段に文字情報と共に音声情報の受信日時を示す特定情報を格納し、録音中の音声情報の特定情報を前記録再制御手段に送り、再生中の音声情報の特定情報を前記録再制御手段から受け取って前記メモリ手段から対応する文字情報を検索する手段を備え、
前記録音再生部は、特定情報を記録する不揮発性の特定情報メモリ手段を備え、
前記録再制御手段は、前記ディスク媒体に音声情報を記録する際に、前記受信表示制御手段から受け取った特定情報を記録中の音声情報に割り当てられたトラック番号と共に前記特定情報メモリ手段に格納し、前記ディスク媒体より音声情報を再生する際に、再生中の音声情報のトラック番号と当該トラック番号と関連付けて前記特定情報メモリ手段に格納された特定情報を前記受信表示制御手段に送る手段を備えてもよい。
これにより、特殊な仕様あるいは構成を用いる必要がなく、簡単な構成で音声情報をディスク媒体に記録すると共に、文字情報を容易に確認することが可能となる。
【００２１】
さらに具体的には、前記多重放送受信部は、ＦＭ（Ｆｒｅｑｕｅｎｃｙ  Ｍｏｄｕｌａｔｉｏｎ）文字多重放送を受信し、且つ、前記ディスク媒体は、ＭＤ（Ｍｉｎｉ  Ｄｉｓｃ）であることが望ましい。
【００２２】
【発明の実施の形態】
以下に、図面を参照して、この発明の実施の形態に係る文字多重放送の受信録音再生システムについて説明する。
【００２３】
図１は、この発明の実施の形態に係る文字多重放送の受信録音再生システムの構成を示す図である。
図示するように、この受信録音再生システムは、ＦＭ文字多重チューナ１と、ＭＤレコーダ２とを備えている。
【００２４】
ＦＭ文字多重チューナ１は、ＦＭ放送を受信し、且つＦＭ文字多重放送のメインチャンネルの情報である音声情報およびサブチャンネルの情報のうち少なくとも文字情報の復調が可能なチューナである。
このＦＭ文字多重チューナ１は、録音時に、音声情報を出力してＭＤレコーダ２に供給するとともに、録音を行った日付や時間等の情報からなる特定情報（ＩＤ）およびＭＤレコーダ２から送信されるトラックＮｏ．  と、その録音中に受信した楽曲名およびアーティスト名等の文字情報とを相互に関連付けて記憶する機能を有している。
なお、トラックＮｏ．（トラック番号）は、音声情報をＭＤ等のディスクに記録する際に、音声情報のデータ単位毎、例えば楽曲であれば１曲毎に付される、ディスクに記録された音声情報を識別するための番号である。
また、ＦＭ文字多重チューナ１は、録音時には、特定情報（ＩＤ）をＭＤレコーダ２に送信し、録音したＭＤの再生時には、ＭＤレコーダ２から受信するトラックＮｏ．  に基づいて対応する文字情報を表示する機能を有している。
【００２５】
このような機能を実現するため、ＦＭ文字多重チューナ１は、ＣＰＵ（Ｃｅｎｔｒａｌ  Ｐｒｏｃｅｓｓｉｎｇ  Ｕｎｉｔ）１１と、受信復調部１２と、表示部１３と、メモリ１４とを備えている。
【００２６】
ＣＰＵ１１は、ＦＭ文字多重チューナ１全体の動作を制御すると共に、録音／再生時にＭＤレコーダ２との間でシステム通信を行うためのものである。
【００２７】
受信復調部１２は、ＣＰＵ１１により制御されて、ＦＭ文字多重放送を受信し且つ音声情報および多重化された文字情報を復調する。
【００２８】
表示部１３は、ＬＣＤ（Ｌｉｑｕｉｄ  Ｃｒｙｓｔａｌ  Ｄｉｓｐｌａｙ）等から構成され、受信復調部１２により復調された文字情報およびＭＤ再生時にメモリ１４から読み出された文字情報を表示する。
なお、ＭＤから音声情報を再生する際には、表示部１３による文字情報の表示は、ＣＰＵ１１の制御により、録音時等の通常のＦＭ多重放送受信時よりも短時間毎、例えば１秒毎、に切り換えられる。
【００２９】
メモリ１４は、半導体メモリ等から構成される不揮発性メモリであり、音声情報を録音した日時等を示す特定情報とトラックＮｏ．  、及び録音中に文字多重放送により受信した文字情報とを相互に関連付けて記憶する。
【００３０】
ＭＤレコーダ２は、ＦＭ文字多重チューナ１により受信されたＦＭ放送の音声情報をディスク、この場合ＭＤに録音するためのものである。
また、ＭＤレコーダ２は、録音時に、ＦＭ文字多重チューナ１から送られてくる特定情報を、記録中の音声情報のトラックＮｏ．  と共に記憶する機能を有している。
さらに、ＭＤの再生時には、ＭＤレコーダ２は、再生する音声情報のトラックＮｏ．  を録音時に記憶した特定情報と共にＦＭ文字多重チューナ１に送信する機能を有している。
【００３１】
このような機能を実現するため、ＭＤレコーダ２は、ＣＰＵ２１と、ディスク制御部２２と、表示部２３と、メモリ２４とを備えている。
【００３２】
ＣＰＵ２１は、ＭＤレコーダ２全体の動作を制御すると共に、録音／再生時にＦＭ文字多重チューナ１との間でシステム通信を行うためのものである。
【００３３】
ディスク制御部２２は、ＣＰＵ２１の制御により動作して、録音用のディスク媒体であるＭＤを装填し、ＦＭ文字多重チューナ１から与えられる音声情報を録音し、且つ録音した音声情報を再生する。
【００３４】
表示部２３は、ＬＣＤ（Ｌｉｑｕｉｄ  Ｃｒｙｓｔａｌ  Ｄｉｓｐｌａｙ）等から構成され、ＭＤレコーダ２の動作に関連して、例えば録音／再生中のトラックＮｏ．  等の各種動作情報を表示するためのものである。
【００３５】
メモリ２４は、半導体メモリ等から構成される不揮発性メモリであり、例えばＵ−ＴＯＣ（ユーザ目次情報）対応テーブルとして、録音時のトラックＮｏ．  をＦＭ文字多重チューナ１から与えられる特定情報と共に記憶し、再生時にそのトラックＮｏ．  およびそれに対応する特定情報をＦＭ文字多重チューナ１に送信する。
【００３６】
次に、上記構成を有する文字多重放送の受信録音再生システムの動作について説明する。
この受信録音再生システムは、音声情報と共に受信した文字情報を音声情報を識別するためのトラックＮｏ．や録音日時等を示す特定情報と関連付けて記憶し、ディスクに音声情報を記録することにより、ディスクから音声情報を再生する際に、再生中の音声情報の曲名等を示す文字情報を容易に確認することができるシステムである。
【００３７】
この受信録音再生システムは、ユーザがＭＤレコーダ２の操作部（図示せず）を操作して録音状態（ＲＥＣオン）とすると、図２のフローチャートに示す録音処理を開始する。
【００３８】
録音処理を開始すると、ＭＤレコーダ２のＣＰＵ２１は、ディスク制御部２２を制御して録音を開始するとともに、録音するトラックＮｏ．  をＦＭ文字多重チューナ１のＣＰＵ１１に送信する（ステップＳ１）。
【００３９】
ＣＰＵ１１は、ＣＰＵ２１から受信したトラックＮｏ．  を、例えば日付および時間情報からなる特定情報（ＩＤ）と共にメモリ１４に格納する（ステップＳ２）。
なお、特定情報（ＩＤ）は、ＦＭ音声多重放送の録音内容を特定するための情報であり、日付および時間情報以外の情報を含んでいてもよい。
【００４０】
ＣＰＵ１１は、上記ステップＳ２にてメモリ１４に格納した特定情報をＣＰＵ２１に特定情報を送信し（ステップＳ３）、ＣＰＵ２１は、ＭＤのＵ−ＴＯＣ（ユーザ目次情報）対応テーブルとして、メモリ２４に格納する（ステップＳ４）。
【００４１】
次に、ＣＰＵ１１は、ＣＰＵ２１を介してディスク制御部２２を監視することにより、録音停止か否かを判別する（ステップＳ５）。
【００４２】
ＣＰＵ１１は、録音停止でないと判別すると（ステップＳ１５にてＮＯ）、すなわち録音中であると判別すると、その時点で受信されている文字情報を、対応する特定情報およびトラックＮｏ．  と関連付けて、メモリ１４に格納する（ステップＳ６）。
【００４３】
そして、ＣＰＵ１１は、受信復調部１２が復調した文字情報が変化したか否かを判別し（ステップＳ７）、変化したと判別すると（ステップＳ７にてＹＥＳ）、変化後の新たな文字情報を、対応する特定情報およびトラックＮｏ．  と関連付けて、さらにメモリ１４に格納する（ステップＳ８）。
【００４４】
この後、ＣＰＵ１１は、処理をステップＳ５にリターンして録音処理を継続する。また、ＣＰＵ１１は、上記ステップＳ７にて、文字情報が変化していないと判別した場合にも（ステップＳ７にてＮＯ）、処理をステップＳ５にリターンして録音処理を継続する。
【００４５】
一方、ＣＰＵ１１は、上記ステップＳ５にて、録音停止であると判別すると（ステップＳ５にてＹＥＳ）、録音が終了したとして、録音動作を終了する。
【００４６】
このようにして、ＭＤレコーダ２によるＦＭ文字多重チューナ１の受信内容の録音が行われる。
【００４７】
次に、上記録音処理によりＭＤに録音された音声情報を再生する際には、ユーザがＭＤレコーダ２の操作部（図示せず）を操作して、所定の録音内容を適宜選択して再生を開始すると、ＭＤレコーダ２のＣＰＵ２１は、図３のフローチャートに示す再生処理を開始する。
【００４８】
再生処理を開始すると、ＣＰＵ２１は、該当するトラックＮｏ．  に対応する特定情報をＵ−ＴＯＣ情報に基づいてメモリ２４から読み出してＣＰＵ１１に送信する（ステップＳ１０）。
【００４９】
ＣＰＵ１１は、ＣＰＵ２１から受信したトラックＮｏ．  および特定情報に基づいてメモリ１４を検索し（ステップ１１）、検索データが一致するか否かを判別する（ステップＳ１２）。
【００５０】
ＣＰＵ１１は、検索データが一致すると判別すると（ステップＳ１２にてＹＥＳ）、そのトラックＮｏ．  および特定情報に関連付けられた文字情報を、メモリ１４から取り出して、表示部１３に表示する（ステップＳ１３）。
【００５１】
この後、ＣＰＵ１１は、ＣＰＵ２１を介してディスク制御部２２が再生する信号を監視して、トラックＮｏ．  が変化したか否かを判別する（ステップＳ１４）。
【００５２】
ＣＰＵ１１は、トラックＮｏ．  が変化していないと判別すると（ステップＳ１４にてＮＯ）、所定時間、例えば１秒、経過するまで処理をステップＳ１４にリターンしてディスク制御部２２が再生する信号の監視を継続する（ステップＳ１５にてＮＯ）。
【００５３】
一方、トラックＮｏ．が変化することなく１秒が経過すると（ステップＳ１５にてＹＥＳ）、ＣＰＵ１１は、メモリ１４内に同一のトラックＮｏ．  および特定情報に関連付けられた次の情報が記録されているか否かを判別する（ステップＳ１６）。
【００５４】
ＣＰＵ１１は、次の情報が記録されていると判別すると（ステップＳ１６にてＹＥＳ）、それを取り出して表示部１３に表示した後（ステップＳ１７）、処理をステップＳ１４にリターンする。
これにより、ＭＤから音声情報を再生する際には、ＭＤに記録されている音声情報に関連する曲名、演奏者名といった文字情報を短時間で切り換えることができる。従って、ユーザは、ＭＤに記録された音声情報に関する情報（文字情報）を容易に確認することができる。
【００５５】
一方、ＣＰＵ１１は、メモリ１４に次の情報が記録されていないと判別すると（ステップＳ１６にてＮＯ）、上記ステップＳ１７の処理をスキップして、処理をステップＳ１４にリターンする。
【００５６】
また、ＣＰＵ１１は、上記ステップＳ１４にて、トラックＮｏ．  が変化したと判別すると（ステップＳ１４にてＹＥＳ）、処理をステップＳ１０にリターンして、次のトラックに記録された音声情報に応じた再生処理を繰り返す。
【００５７】
また、ＣＰＵ１１は、上記ステップＳ１２にて、検索データが一致しないと判別すると（ステップＳ１２にてＮＯ）、トラックＮｏ．  が変化するのを待ち（ステップＳ１８にてＮＯ）、トラックＮｏ．  が変化すると（ＹＥＳ）、処理をステップＳ１０にリターンして次のトラックに記録された音声情報に応じた再生処理を繰り返す。
【００５８】
上述したように、ＦＭ文字多重チューナ１はメモリ１４を備え、ＣＰＵ１１は、このメモリ１４に特定情報およびＭＤのトラックＮｏ．  と、それに関連付けてサブチャンネルから得た文字情報を記録しておく。放送の録音が開始されたら、ＣＰＵ１１は特定情報をシステム通信でＣＰＵ２１に送信し、ＣＰＵ２１は録音するトラックＮｏ．  をシステム通信でＦＭ文字多重チューナ１に送信する。
このようにして、ＭＤレコーダ２で音声情報を録音しておくことにより、再生時には、メモリ１４に格納された文字情報を、再生トラックに対応して表示させることで、曲名、演奏者名等の文字情報を容易に確認することができる。
【００５９】
また、このとき、ＣＰＵ１１は、表示部１３への文字情報の表示を、通常の放送時よりも短い時間、例えば１秒程度の時間間隔で切り換える。
これにより、録音時に同時に放送されていた文字情報を、ＭＤの再生時に迅速に知ることができるようになる。すなわち、録音した楽曲の曲名等をユーザが容易に知ることができ、非常に便利である。また、録音する側のＭＤレコーダ２には、通常備えているＵ−ＴＯＣ対応テーブルを用いてトラックＮｏ．  および特定情報の格納を行うので、特殊な仕様あるいは構成を用いる必要はない。
【００６０】
この発明は、上記実施の形態に限定されず様々な変形及び応用が可能である。例えば、上記実施の形態では、ディスク媒体としてＭＤを取り上げて説明したが、これに限定されず、ＴＯＣ（Ｔａｂｌｅ  Ｏｆ  Ｃｏｎｔｅｎｔｓ）情報と共に音声情報の記録・再生が可能な、例えばＣＤ−Ｒ（ＣＤ−Ｒｅｃｏｒｄａｂｌｅ）といった、任意の記録媒体に適用可能である。
【００６１】
【発明の効果】
以上説明したように、この発明によれば、録音系に特殊な構成を必要としない簡単な構成を用いて、文字多重放送より録音した音声情報を再生する際に、多重化されていた文字情報を、前記音声情報と関連付けて表示させることを可能とし、録音音声情報の関連情報を容易に認知することが可能な文字多重放送の受信録音再生システムを提供することができる。
【図面の簡単な説明】
【図１】この発明の実施の形態に係る文字多重放送の受信録音再生システムの構成を模式的に示すブロック図である。
【図２】図１の文字多重放送の受信録音再生システムにおける録音時の動作を説明するためのフローチャートである。
【図３】図１の文字多重放送の受信録音再生システムにおける再生時の動作を説明するためのフローチャートである。
【図４】従来の文字多重放送の受信録音再生システムの構成を模式的に示すブロック図である。
【符号の説明】
１，１１０    ＦＭ文字多重チューナ
２，１２０    ＭＤレコーダ
１１，２１，１１１，１２１    ＣＰＵ
１２，１１２    受信復調部
１３，２３，１１３，１２３    表示部
１４，２４    メモリ
２２，１２２    ディスク制御部
【図１】
0003607128.tif 000002
【図２】
0003607128.tif 000003
【図３】
0003607128.tif 000004
【図４】
0003607128.tif 000005